(57)【特許請求の範囲】
【請求項１】
波長多重信号が伝搬するファイバと接続される複数のポートを持ち、ファイバを接続する前記ポートが一意にルール化されている波長クロスコネクト（ＷＸＣ：Ｗａｖｅｌｅｎｇｔｈ  Ｃｒｏｓｓ  Ｃｏｎｎｅｃｔ）通信機能部と、
前記ＷＸＣ通信機能部の前記ポートの各々に設定するために予め保持されている設定値の中から、前記ファイバが接続された前記ポートに適する前記設定値を選択するＷＸＣ通信設定値保持部と、
前記ＷＸＣ通信機能部の前記ポートのいずれに前記ファイバが接続されたことの接続情報を前記ＷＸＣ通信設定値保持部へ出力する接続先管理部と、
前記ポートと前記ファイバと接続したときに前記ＷＸＣ通信機能部から出力されるファイバ接続フラグＯＮを受信して前記接続情報を発生させて前記接続先管理部へ出力し、前記ＷＸＣ通信設定値保持部から受信した前記設定値を前記ファイバと接続した前記ポートに反映させる設定値分岐送受信部と、
を備えるＷＸＣ装置。
【請求項２】
前記ＷＸＣ通信設定値保持部は、
保持する前記設定値の中から前記接続先管理部からの前記接続情報と一致する前記設定値を選択することを特徴とする請求項１に記載のＷＸＣ装置。
【請求項３】
前記設定値分岐送受信部は、
前記ＷＸＣ通信設定値保持部から受信した前記設定値について、いずれの前記ポート用であるかを確認し、
自身が管理しているファイバ接続フラグＯＮとなっている前記ポート用である場合には前記設定値を前記ポートに反映させ、
自身が管理しているファイバ接続フラグＯＦＦとなっている前記ポート用である場合には前記接続先管理部にエラー報告を送信することを特徴とする請求項１又は２に記載のＷＸＣ装置。
【請求項４】
前記ＷＸＣ通信機能部は、
前記ファイバを介して他のＷＸＣ装置における前記ＷＸＣ通信機能部の前記ポートと通信を行い、前記他のＷＸＣ装置における前記ＷＸＣ通信機能部の前記ポートの番号を受信し、前記設定値分岐送受信部に装置間リンク情報として報告することを特徴とする請求項１から３のいずれかに記載のＷＸＣ装置。
【請求項５】
前記接続先管理部は、
前記設定値分岐送受信部に報告された前記装置間リンク情報を取得し、前記他のＷＸＣ装置における前記接続先管理部が取得している前記装置間リンク情報と比較して一致確認を行うことを特徴とする請求項４に記載のＷＸＣ装置。
【請求項６】
請求項１から５のいずれかに記載のＷＸＣ装置と、
前記接続先管理部から前記接続情報を取得する上位監視装置と、
を備えるＷＸＣ通信システム。
【請求項７】
前記上位監視装置は、前記装置間リンク情報をさらに取得することを特徴とする請求項５を引用する請求項６のＷＸＣ通信システム。
【請求項８】
ファイバを接続するポートが一意にルール化されているＷＸＣ装置のＷＸＣ通信機能部の複数のポートのいずれかに波長多重信号が伝搬するファイバを接続する際に、
前記ポートと前記ファイバと接続したときに前記ＷＸＣ通信機能部から出力されるファイバ接続フラグＯＮを受信し、前記ＷＸＣ通信機能部の前記ポートのいずれに前記ファイバが接続されたことの接続情報を出力する接続情報出力手順と、
前記接続情報出力手順で出力された前記接続情報に基づき、前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記接続情報があったときに、前記ＷＸＣ通信設定値選択手順で選択された前記設定値を前記ファイバと接続した前記ポートに反映させる設定値反映手順と、
を順に行うＷＸＣ制御方法。
【請求項９】
ファイバを接続するポートが一意にルール化されているＷＸＣ装置のＷＸＣ通信機能部の複数のポートのいずれかに波長多重信号が伝搬するファイバを接続する際に、
前記ポートと前記ファイバと接続したときに前記ＷＸＣ通信機能部から出力されるファイバ接続フラグＯＮを受信し、前記ＷＸＣ通信機能部の前記ポートのいずれに前記ファイバが接続されたことの接続情報を出力する接続情報出力手順と、
前記接続情報出力手順で出力された前記接続情報に基づき、前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記接続情報があったときに、前記ＷＸＣ通信設定値選択手順で選択された前記設定値を前記ファイバと接続した前記ポートに反映させる設定値反映手順と、
を順にＷＸＣ装置に実施させるＷＸＣ制御プログラム。
【発明の詳細な説明】
【技術分野】
【０００１】
本発明は、ＷＤＭ通信が可能な波長クロスコネクト通信に関する。
【背景技術】
【０００２】
近年の通信容量の増大に伴い、波長分割多重方式（Ｗａｖｅｌｅｎｇｔｈ  Ｄｉｖｉｓｉｏｎ  Ｍｕｌｔｉｐｌｅｘｉｎｇ、以下ＷＤＭ）を用いた光伝送装置や技術がバックボーンやメトロエリアの領域で導入されている。ＷＤＭ装置では近年、更なる大容量通信と柔軟なネットワーク構成が求められおり、その中でも多方路へのＷＤＭ通信が可能な波長クロスコネクト（Ｗａｖｅｌｅｎｇｔｈ  Ｃｒｏｓｓ  Ｃｏｎｎｅｃｔ、以下ＷＸＣ）通信は重要な役割を担っている。
【０００３】
このようなＷＸＣ通信においては、ファイバを接続するポートが一意にルール化されており、実際のファイバ接続と設定値が異なることや、接続するポートに制限があることにより誤接続が発生しやすく、接続したものの主信号が導通しない導通不良となる可能性がある。また、使用ポート毎に手動での設定が必要であり、こちらも実際使用するポートと設定したポートが異なっていることにより主信号が導通しないといった導通不良となる可能性がある。
【０００４】
例えば、光ファイバ接続状態認識を含むデータリンク情報の設定を容易に行うことができるネットワークシステムが特許文献１に記載されている。特許文献１のネットワークシステムは、隣接する光クロスコネクト（ＰＸＣ）装置とＷＤＭ装置とが光ファイバで接続されるとともに電気通信路が設けられ、ＰＸＣ装置とＷＤＭ装置との間の光ファイバ接続状態を自動認識する。
【０００５】
具体的には、ＷＤＭ装置は、光ファイバ接続状態の自動認識を指示する信号を受けて、自動認識をすべき光ファイバのポートの識別情報と自ノードＩＤ情報とを含む情報を光信号のオンオフパターンでＰＸＣ装置側に送信するとともに、折り返される光信号のオンオフパターンを監視して導通確認を行う。ＰＸＣ装置は、非運用の光ファイバのポートをループバック設定しておき、入力された光信号のオンオフパターンを折り返すとともに、該光信号のオンオフパターンを検出して前記ポートの識別情報と前記ノードＩＤ情報とを取得し、これらの情報を用いて制御チャネルを確立し、データリンク情報の設定を行う。
【０００６】
また、隣接するノード装置間でインタフェースに関するポリシーが異なる場合でもネットワーク情報を自動設定するネットワーク情報設定システムの一例が特許文献２に記載されている。特許文献２のネットワーク情報設定システムは、２つのノード装置がリンク接続されると、それをトリガとして、ノード装置間で設定情報を交換して、ネットワーク情報を設定する。ここで、ノード装置は互いのネットワーク情報を参照して、ネットワーク情報に設定される設定内容が異なるとき、自ノード装置で希望するポリシーを隣接ノードに提案する。また、この隣接ノード装置がポリシーの変更を受け入れない場合、自ノード装置が隣接ノード装置のポリシーを受け入れるように動作する。
【先行技術文献】
【特許文献】
【０００７】
【特許文献１】特開２００９−２１２７７８号公報
【特許文献２】特開２０１０−２３９５４７号公報
【発明の概要】
【発明が解決しようとする課題】
【０００８】
特許文献１のネットワークシステムは、２装置（ＷＤＭ装置とＰＸＣ装置）間の接続の自動認識を行っているが、ＷＤＭ装置間を接続するための技術でなく、前述したＷＸＣ通信での導通不調を回避することができないという問題点があった。
【０００９】
さらに、特許文献２のネットワーク情報設定システムは、隣接するノード装置間を接続するリンクのインタフェースに関し、ポリシーが異なる場合でもネットワーク情報を自動設定することが可能であるが、ＷＤＭ装置間を接続するための技術でなく、特許文献１と同様に前述したＷＸＣ通信での導通不調を回避することができないという問題点があった。
【００１０】
そこで、本発明の目的は、ＷＸＣ通信での装置間の接続制限を無くし、更にファイバを接続する際にポートへの設定を自動化させることでフレキシブルで確実な通信導通が可能となるＷＸＣ装置を提供することにある。
【課題を解決するための手段】
【００１１】
上記目的を達成するために、本発明に係るＷＸＣ装置は、波長多重信号が伝搬するファイバと接続される複数のポートを持つ波長クロスコネクト（ＷＸＣ：Ｗａｖｅｌｅｎｇｔｈ  Ｃｒｏｓｓ  Ｃｏｎｎｅｃｔ）通信機能部と、
前記ＷＸＣ通信機能部の前記ポートの各々に設定するために予め保持されている設定値の中から、前記ファイバが接続された前記ポートに適する前記設定値を選択するＷＸＣ通信設定値保持部と、
前記ＷＸＣ通信機能部の前記ポートに前記ファイバが接続されたことの接続情報を前記ＷＸＣ通信設定値保持部へ出力する接続先管理部と、
前記ポートと前記ファイバと接続したときに前記ＷＸＣ通信機能部から出力されるファイバ接続フラグＯＮを受信して前記接続情報を発生させて前記接続先管理部へ出力し、前記ＷＸＣ通信設定値保持部から受信した前記設定値を前記ファイバと接続した前記ポートに反映させる設定値分岐送受信部と、
を備える。
【００１２】
上記目的を達成するために、本発明に係るＷＸＣ通信システムは、前記ＷＸＣ装置と、前記接続先管理部から前記接続情報を取得する上位監視装置と、を備える。
【００１３】
上記目的を達成するために、本発明に係るＷＸＣ制御方法は、波長多重信号が伝搬するファイバをＷＸＣ装置のＷＸＣ通信機能部の複数のポートのいずれかに接続する際に、
前記ポートと前記ファイバと接続したときに前記ＷＸＣ通信機能部から出力されるファイバ接続フラグＯＮを受信し、前記ＷＸＣ通信機能部の前記ポートに前記ファイバが接続されたことの接続情報を出力する接続情報出力手順と、
前記接続情報出力手順で出力された前記接続情報に基づき、前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記接続情報があったときに、前記ＷＸＣ通信設定値選択手順で選択された前記設定値を前記ファイバと接続した前記ポートに反映させる設定値反映手順と、
を順に行う。
【００１４】
上記目的を達成するために、本発明に係るＷＸＣ制御プログラムは、波長多重信号が伝搬するファイバをＷＸＣ装置のＷＸＣ通信機能部の複数のポートのいずれかに接続する際に、
前記ポートと前記ファイバと接続したときに前記ＷＸＣ通信機能部から出力されるファイバ接続フラグＯＮを受信し、前記ＷＸＣ通信機能部の前記ポートに前記ファイバが接続されたことの接続情報を出力する接続情報出力手順と、
前記接続情報出力手順で出力された前記接続情報に基づき、前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記接続情報があったときに、前記ＷＸＣ通信設定値選択手順で選択された前記設定値を前記ファイバと接続した前記ポートに反映させる設定値反映手順と、
を順にＷＸＣ装置に実施させる。
【発明の効果】
【００１５】
本発明によれば、ＷＸＣ通信での装置間の接続制限を無くし、更にファイバを接続する際にポートへの設定を自動化させることでフレキシブルで確実な通信導通が可能となるＷＸＣ装置を提供することができる。
【図面の簡単な説明】
【００１６】
【図１】本発明に係るＷＸＣ装置を説明する図である。
【図２】本発明に係るＷＸＣ通信システムを説明する図である。
【図３】本発明に係るＷＸＣ制御方法を説明する図である。
【図４】本発明に係るＷＸＣ制御方法を説明する図である。
【図５】本発明に係るＷＸＣ装置の設定値分岐送受信部が行う設定値の選択を説明する図である。
【図６】本発明に係るＷＸＣ装置の設定値分岐送受信部が行う設定値の選択を説明する図である。
【発明を実施するための形態】
【００１７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１８】
（実施形態１）
図１は、本実施形態のＷＸＣ装置１０を説明する図である。ＷＸＣ装置１０は、波長多重信号が伝搬するファイバと接続される複数のポート（５−１−１〜５−１−６）を持つＷＸＣ通信機能部５−１と、
ＷＸＣ通信機能部５−１のポートの各々に設定するために予め保持されている設定値の中から、ファイバが接続されたポートに適する設定値を選択するＷＸＣ通信設定値保持部３−１と、
ＷＸＣ通信機能部５−１のポートにファイバが接続されたことの接続情報をＷＸＣ通信設定値保持部３−１へ出力する接続先管理部２−１と、
ポートとファイバと接続したときにＷＸＣ通信機能部５−１から出力されるファイバ接続フラグＯＮを受信して接続情報を発生させて接続先管理部２−１へ出力し、ＷＸＣ通信設定値保持部３−１から受信した設定値をファイバと接続したポートに反映させる設定値分岐送受信部４−１と、
を備える。
【００１９】
ＷＸＣ装置１０は、図３のように動作する。すなわち、ＷＸＣ装置１０は、波長多重信号が伝搬するファイバをＷＸＣ通信機能部５−１の複数のポート（５−１−１〜５−１−６）のいずれかに接続する際に、
ポートとファイバと接続したときにＷＸＣ通信機能部５−１から出力されるファイバ接続フラグＯＮを受信し、ＷＸＣ通信機能部５−１のポートにファイバが接続されたことの接続情報を出力する接続情報出力手順（ステップＳ０１）と、
接続情報出力手順で出力された接続情報に基づき、ＷＸＣ通信機能部５−１のポートの各々に設定するために予め保持されている設定値の中から、ファイバが接続されたポートに適する設定値を選択するＷＸＣ通信設定値選択手順（ステップＳ０２）と、
接続情報があったときに、ＷＸＣ通信設定値選択手順で選択された設定値をファイバと接続したポートに反映させる設定値反映手順（ステップＳ０３）と、
を順に行う。
【００２０】
ＷＸＣ装置１０は、より詳細には次のように動作する。
接続先管理部２−１は設定値分岐送受信部４−１を介してポート（５−１−１〜５−１−６）に接続されたファイバの接続情報を管理し、その情報をＷＸＣ通信設定値保持部３−１と上位監視装置に送信する。
【００２１】
ＷＸＣ通信設定値保持部３−１はＷＸＣ通信機能部５−１に設定すべき設定値を全て保持しており、接続先管理部２−１から受信したファイバの接続情報を元に、ＷＸＣ通信機能部５−１のポートに設定する設定値を選択して設定値分岐送受信部４−１に送信する。
【００２２】
設定値分岐送受信部４−１はポート（５−１−１〜５−１−６）から送信されたファイバ接続ＯＮ／ＯＦＦのフラグを受信し、ファイバの接続状態を接続情報として接続先管理部２−１に送信する。
【００２３】
また、設定値分岐送受信部４−１はＷＸＣ通信設定値保持部３−１から受信した設定値をＷＸＣ通信機能部５−１に送信する。この際、設定値分岐送受信部４−１は、ポート（５−１−１〜５−１−６）のどこに設定するかをＷＸＣ通信設定値保持部３−１から受信した設定値から読み取り、該当ポートのファイバ接続フラグがＯＮになっていることを確認後、該当するポートへ設定値を送信する。
【００２４】
ＷＸＣ通信機能部５−１のポート（５−１−１〜５−１−６）はそれぞれファイバが接続された際に、ファイバが物理的に接続されたことをトリガにファイバ接続のフラグをＯＮに変更し、設定値分岐送受信部４−１に送信する。なお、各ポートは、ファイバ未接続時はＯＦＦ設定としておく。
【００２５】
ＷＸＣ装置１０は、物理的なファイバ接続でポートへの設定値を自動で設定することにより、設定ミスの危険性を解消することができる。
【００２６】
（実施形態２）
図２は、ＷＸＣ装置１０とＷＸＣ装置２０とを接続したＷＸＣ通信システム１０１を説明する図である。ＷＸＣ装置１０とＷＸＣ装置２０とは同一である。そして、ＷＸＣ通信システム１０１は、ＷＸＣ装置（１０、２０）の情報を監視する上位監視装置６０を有する。上位監視装置６０は、接続先管理部（２−１、２−２）から接続情報を取得する。
【００２７】
ＷＸＣ通信機能部５−１は、ファイバを介してＷＸＣ装置２０におけるＷＸＣ通信機能部５−２のポート（５−２−１〜５−２−６）と通信を行い、ＷＸＣ装置２０におけるＷＸＣ通信機能部５−２のポートの番号を受信し、設定値分岐送受信部４−１に装置間リンク情報として報告する。
【００２８】
ポート（５−１−１〜５−１−６）とポート（５−２−１〜５−２−６）同士はファイバ接続されることにより互いに通信を行い、対向に接続されているポートを自動的に認識し、それを装置間リンク情報として設定値分岐送受信部（４−１、４−２）を介して接続先管理部（２−１、２−２）に送信する。
【００２９】
上位監視装置６０は、装置間リンク情報をさらに取得する。上位監視装置６０は、接続先管理部（２−１、２−２）から受信した接続先設定（装置間リンク情報）を保持する。ここで、接続設定にエラーがあった場合、接続先管理部（２−１、２−２）がエラー情報を送信するため、上位監視装置６０は、そのエラー情報を遠隔で監視できる。
【００３０】
ＷＸＣ通信システム１０１は、図４のように動作する。設定値反映手順（ステップＳ０３）までは図３の説明と同様である。ＷＸＣ通信システム１０１のＷＸＣ装置１０は、ファイバをＷＸＣ通信機能部５−１のポートに接続した後に、ファイバを介してＷＸＣ装置２０におけるＷＸＣ通信機能部５−２のポートと通信を行い、ＷＸＣ装置２０におけるＷＸＣ通信機能部５−２のポートの番号を受信し、設定値分岐送受信部４−１に装置間リンク情報として報告するリンク情報報告手順（ステップＳ０４）を行う。
【００３１】
さらに、ＷＸＣ装置１０は、リンク情報報告手順で報告された自身の装置間リンク情報と、ＷＸＣ装置２０でのリンク情報報告手順で報告された装置間リンク情報とを比較して一致確認を行う一致確認手順（ステップＳ０５）を行う。
【００３２】
また、上位監視装置６０は、接続情報出力手順で出力された接続情報を監視する上位監視手順（ステップＳ０７）を行う。さらに、上位監視装置６０は、リンク情報報告手順で報告された装置間リンク情報を監視する上位リンク監視手順（ステップＳ０８）を行う。
【００３３】
ＷＸＣ通信システム１０１の動作について図２及び図４を用いて説明する。ＷＸＣ装置１０とＷＸＣ装置２０の動作は同じである。そこで、ＷＸＣ装置１０の動作を中心に説明する。
【００３４】
まず、ポート（５−１−１〜５−１−６）のいずれかにファイバが接続されたことをトリガにポート（５−１−１〜５−１−６）は自身の持つファイバ接続フラグのスイッチをＯＮに設定し、その信号を設定値分岐送受信部４−１に送信する。
【００３５】
設定値分岐送受信部４−１はポート（５−１−１〜５−１−６）から受信したファイバ接続フラグＯＮの情報を保持し、それを接続情報として接続先管理部２−１に送信する。
【００３６】
接続先管理部２−１は設定値分岐送受信部４−１から受信した接続情報を管理のために保持し、その接続情報を上位監視装置６０とＷＸＣ通信設定値保持部３−１に送信する。
【００３７】
ＷＸＣ通信設定値保持部３−１は接続先管理部２−１から受信した接続情報に基づいて、ポート（５−１−１〜５−１−６）にそれぞれのポートに適した設定を自身が保持している設定値の中から自動的に選択する。そして、ＷＸＣ通信設定値保持部３−１は選択した設定値とその設定値を設定するポート番号を設定値分岐送受信部４−１に送信する。
【００３８】
設定値分岐送受信部４−１はＷＸＣ通信設定値保持部３−１から受信した設定値を設定するポート番号と自身が管理しているファイバ接続フラグＯＮのポート番号とを比較する。設定値を設定するポート番号のポートがファイバ接続フラグＯＮである場合、設定値分岐送受信部４−１はＷＸＣ通信設定値保持部３−１から受信した設定値を当該ポートに反映させる。一方、設定値を設定するポート番号のポートがファイバ接続フラグＯＦＦである場合、例えば、ファイバがポートから抜けてしまっている場合、設定値分岐送受信部４−１は接続先管理部２−１にエラー報告を送信する。
【００３９】
接続先管理部２−１は設定値分岐送受信部４−１から受信したエラー情報を上位監視装置６０に送信する。これにより上位監視装置６０は遠隔から設定ミス及びファイバ抜け等の監視を行うことができる。
【００４０】
ＷＸＣ装置２０の基本的な動作はＷＸＣ装置１０と同様である。
【００４１】
ポートへの設定値反映が完了した後、ＷＸＣ装置（１０、２０）は、ポート間で互いに通信を行い、自身と対向するポート番号を確認し、装置間リンク情報としてそれぞれの設定値分岐送受信部（４−１、４−２）に送信する。
【００４２】
設定値分岐送受信部（４−１、４−２）は各ポートから受信した装置間リンク情報を接続先管理部（２−１、２−２）に送信する。接続先管理部（２−１、２−２）はその装置間リンク情報を保持するとともに、互いが保持する装置間リンク情報について一致していることの確認を行う。また、接続先管理部（２−１、２−２）は装置間リンク情報を上位監視装置６０に送信する。このため、上位監視装置６０は遠隔からＷＸＣ装置間の接続設定の監視が可能である。
【００４３】
このように、ＷＸＣ通信システム１０１は、上位監視装置６０がＷＸＣ装置間の接続状態を把握しており、いずれのポート同士でもＷＸＣ通信を可能とする。つまり、実施形態１で説明したポートへの設定値の自動設定、及び本実施形態で説明したＷＸＣ装置間の接続状態の把握により、ＷＸＣ装置のいずれのポートにファイバを接続しても確実なＷＸＣ通信を行うことが可能となる。
【００４４】
（プログラム）
ＷＸＣ装置（１０、２０）はコンピュータ（不図示）を有していてもよい。このコンピュータは、プログラムを実行することでＷＸＣ装置（１０、２０）を図４で説明したステップＳ０１〜ステップＳ０５のように動作させることができる。
【００４５】
（実施例）
次にＷＸＣ通信システム１０１の具体的な実施例について図２を用いて説明する。
【００４６】
ＷＸＣ装置１０において、ＷＸＣ通信機能部５−１のポート５−１−４にファイバを接続したとする。この場合、ポート５−１−４は自身の持つファイバ接続フラグ設定をＯＦＦからＯＮに変更し、ファイバ接続フラグ設定がＯＮになったことを設定値分岐送受信部４−１に送信する。
【００４７】
設定値分岐送受信部４−１はポート５−１−４から受信したファイバ接続フラグ設定ＯＮの情報を保持し、その情報を接続情報として接続先管理部２−１に送信する。この時点での設定値分岐送受信部４−１が保持しているファイバ接続フラグ情報は以下の通りである。
・  ＷＸＣ通信機能ポート５−１−１：ＯＦＦ
・  ＷＸＣ通信機能ポート５−１−２：ＯＦＦ
・  ＷＸＣ通信機能ポート５−１−３：ＯＦＦ
・  ＷＸＣ通信機能ポート５−１−４：ＯＮ
・  ＷＸＣ通信機能ポート５−１−５：ＯＦＦ
・  ＷＸＣ通信機能ポート５−１−６：ＯＦＦ
【００４８】
接続先管理部２−１は設定値分岐送受信部４−１から受信したポート５−１−４のファイバ接続フラグがＯＮであるという接続情報を上位監視装置６０とＷＸＣ通信設定値保持部３−１に送信する。
【００４９】
ＷＸＣ通信設定値保持部３−１は接続先管理部２−１から受信した接続情報に基づき、自身が保持しているデータの中からポート５−１−４に設定すべき設定値を自動的に選択し、その設定値を設定値分岐送受信部４−１に送信する。自動的に選択する手法を図５に示す。詳細には、ＷＸＣ通信設定値保持部３−１は、自身が保持する全データと接続先管理部２−１から受信した接続情報とを比較し、一致するデータを検索する。ＷＸＣ通信設定値保持部３−１は、一致するデータを設定値分岐送受信部４−１に送信する設定値と判断する。
【００５０】
設定値分岐送受信部４−１はＷＸＣ通信設定値保持部３−１から受信したポート５−１−４の設定値とそのポート番号に基づき、自身がもつファイバ接続フラグ情報を確認する。設定値分岐送受信部４−１は、ポート５−１−４のファイバ接続フラグがＯＮになっていることを確認後、ポート５−１−４に受信した設定値を反映させる。
【００５１】
このとき、ポート５−１−４のファイバ抜けや、ＷＸＣ通信設定値保持部３−１等の故障によりポート５−１−４以外の設定値が選択されていた場合、ＷＸＣ通信設定値保持部３−１から受信した設定値と、自身のもつファイバ接続フラグＯＮのＷＸＣ通信機能ポート情報の比較は不一致となり、設定値分岐送受信部４−１は上位監視装置６０に設定値不一致のエラー情報を送信する。
【００５２】
次にポート５−１−４に接続したファイバの対向側をＷＸＣ装置２０のポート５−２−１にファイバを接続したとする。この場合、ポート５−２−１は自身の持つファイバ接続フラグ設定をＯＦＦからＯＮに変更し、ファイバ接続フラグ設定がＯＮになったことを設定値分岐送受信部４−２に送信する。
【００５３】
設定値分岐送受信部４−２はポート５−２−１から受信したファイバ接続フラグ設定ＯＮの情報を保持し、その情報を接続情報として接続先管理部２−２に送信する。この時点での設定値分岐送受信部４−２が保持しているファイバ接続フラグ情報は以下の通りである。
・  ＷＸＣ通信機能ポート５−２−１：ＯＮ
・  ＷＸＣ通信機能ポート５−２−２：ＯＦＦ
・  ＷＸＣ通信機能ポート５−２−３：ＯＦＦ
・  ＷＸＣ通信機能ポート５−２−４：ＯＦＦ
・  ＷＸＣ通信機能ポート５−２−５：ＯＦＦ
・  ＷＸＣ通信機能ポート５−２−６：ＯＦＦ
【００５４】
接続先管理部２−２は設定値分岐送受信部４−２から受信したポート５−２−１のファイバ接続フラグＯＮの情報をＷＸＣ装置１０の接続先管理部２−１を経由して上位監視装置６０に、ＷＸＣ装置２０内部ではＷＸＣ通信設定値保持部３−２に送信する。
【００５５】
ＷＸＣ通信設定値保持部３−２は接続先管理部２−２から受信した接続情報に基づき、自身が保持しているデータの中からポート５−２−１に設定すべき設定値を自動的に選択し、その設定値を設定値分岐送受信部４−２に送信する。自動的に選択する手法を図６に示す。ＷＸＣ通信設定値保持部３−２の自動的に選択する手法は図５で説明したＷＸＣ通信設定値保持部３−１の自動的に選択する手法と同様である。
【００５６】
設定値分岐送受信部４−２はＷＸＣ通信設定値保持部３−２から受信したポート５−２−１の設定値とのポート番号に基づき、自身のもつファイバ接続フラグ情報を確認する。設定値分岐送受信部４−２は、ポート５−２−１のファイバ接続フラグがＯＮになっていることを確認後、ポート５−２−１に受信した設定値を反映させる。
【００５７】
このとき、ポート５−２−１のファイバ抜けや、ＷＸＣ通信設定値保持部３−２等の故障によりポート５−２−１以外の設定値が選択されていた場合、ＷＸＣ通信設定値保持部３−２から受信した設定値と、自身のもつファイバ接続フラグＯＮのＷＸＣ通信機能ポート情報の比較は不一致となり、設定値分岐送受信部４−２はＷＸＣ装置１０の接続先管理部２−１を経由して上位監視装置６０に設定値不一致のエラー情報を送信する。
【００５８】
ポート５−１−４とポート５−２−１は互いに対向の接続先ポートを認識し、その情報を接続先管理部２−１および接続先管理部２−２に送信する。接続先管理部（２−１、２−２）は互いにポート５−１−４とポート５−２−１が接続されているという装置リンク情報を比較し、一致することを確認する。また、接続先管理部（２−１、２−２）は、上位監視装置６０にポート５−１−４とポート５−２−１が接続されていることと、互いの設定に問題がないことを通知する。
【００５９】
今後、ＷＸＣ通信においてより多方路での運用が予想されるが、その接続に制限がある場合、本設定に対して深い知識がない人間では誤接続が発生し易く、主信号導通に影響を与える場面が想定される。だが、本発明によりファイバ接続のみで設定が反映され、更に上位（接続先管理部、ＷＸＣ通信設定値保持部、及び設定分岐送受信部）から２つのＷＸＣ装置のポートの設定を行えるため、誤接続防止も行うことができる。これにより安全で確実なＷＸＣ通信を行うことが可能となる。
【００６０】
（付記１）
波長多重信号が伝搬するファイバと接続される複数のポートを持つ波長クロスコネクト（ＷＸＣ：Ｗａｖｅｌｅｎｇｔｈ  Ｃｒｏｓｓ  Ｃｏｎｎｅｃｔ）通信機能部と、
前記ＷＸＣ通信機能部の前記ポートの各々に設定するために予め保持されている設定値の中から、前記ファイバが接続された前記ポートに適する前記設定値を選択するＷＸＣ通信設定値保持部と、
前記ＷＸＣ通信機能部の前記ポートに前記ファイバが接続されたことの接続情報を前記ＷＸＣ通信設定値保持部へ出力する接続先管理部と、
前記ポートと前記ファイバと接続したときに前記ＷＸＣ通信機能部から出力されるファイバ接続フラグＯＮを受信して前記接続情報を発生させて前記接続先管理部へ出力し、前記ＷＸＣ通信設定値保持部から受信した前記設定値を前記ファイバと接続した前記ポートに反映させる設定値分岐送受信部と、
を備えるＷＸＣ装置。
（付記２）
前記ＷＸＣ通信設定値保持部は、
保持する前記設定値の中から前記接続先管理部からの前記接続情報と一致する前記設定値を選択することを特徴とする付記１に記載のＷＸＣ装置。
（付記３）
前記設定値分岐送受信部は、
前記ＷＸＣ通信設定値保持部から受信した前記設定値について、いずれの前記ポート用であるかを確認し、
自身が管理しているファイバ接続フラグＯＮとなっている前記ポート用である場合には前記設定値を前記ポートに反映させ、
自身が管理しているファイバ接続フラグＯＦＦとなっている前記ポート用である場合には前記接続先管理部にエラー報告を送信することを特徴とする付記１又は２に記載のＷＸＣ装置。
（付記４）
前記ＷＸＣ通信機能部は、
前記ファイバを介して他のＷＸＣ装置における前記ＷＸＣ通信機能部の前記ポートと通信を行い、前記他のＷＸＣ装置における前記ＷＸＣ通信機能部の前記ポートの番号を受信し、前記設定値分岐送受信部に装置間リンク情報として報告することを特徴とする付記１から３のいずれかに記載のＷＸＣ装置。
（付記５）
前記接続先管理部は、
前記設定値分岐送受信部に報告された前記装置間リンク情報を取得し、前記他のＷＸＣ装置における前記接続先管理部が取得している前記装置間リンク情報と比較して一致確認を行うことを特徴とする付記４に記載のＷＸＣ装置。
（付記６）
付記１から５のいずれかに記載のＷＸＣ装置と、
前記接続先管理部から前記接続情報を取得する上位監視装置と、
を備えるＷＸＣ通信システム。
（付記７）
前記上位監視装置は、前記装置間リンク情報をさらに取得することを特徴とする付記５を引用する付記６のＷＸＣ通信システム。
（付記８）
波長多重信号が伝搬するファイバをＷＸＣ装置のＷＸＣ通信機能部の複数のポートのいずれかに接続する際に、
前記ポートと前記ファイバと接続したときに前記ＷＸＣ通信機能部から出力されるファイバ接続フラグＯＮを受信し、前記ＷＸＣ通信機能部の前記ポートに前記ファイバが接続されたことの接続情報を出力する接続情報出力手順と、
前記接続情報出力手順で出力された前記接続情報に基づき、前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記接続情報があったときに、前記ＷＸＣ通信設定値選択手順で選択された前記設定値を前記ファイバと接続した前記ポートに反映させる設定値反映手順と、
を順に行うＷＸＣ制御方法。
（付記９）
前記ＷＸＣ通信設定値選択手順では、
保持する前記設定値の中から前記接続情報出力手順で出力された前記接続情報と一致する前記設定値を選択することを特徴とする付記８に記載のＷＸＣ制御方法。
（付記１０）
前記設定値反映手順では、
前記ＷＸＣ通信設定値選択手順で選択された前記設定値について、いずれの前記ポート用であるかを確認し、
自身が管理しているファイバ接続フラグＯＮとなっている前記ポート用である場合には前記設定値を前記ポートに反映させ、
自身が管理しているファイバ接続フラグＯＦＦとなっている前記ポート用である場合にはエラー報告を送信することを特徴とする付記８又は９に記載のＷＸＣ制御方法。
（付記１１）
前記ファイバをＷＸＣ装置における前記ＷＸＣ通信機能部の前記ポートに接続した後に、
前記ファイバを介して他のＷＸＣ装置における前記ＷＸＣ通信機能部の前記ポートと通信を行い、前記他のＷＸＣ装置における前記ＷＸＣ通信機能部の前記ポートの番号を受信し、装置間リンク情報として報告するリンク情報報告手順を行うことを特徴とする付記８から１０のいずれかに記載のＷＸＣ制御方法。
（付記１２）
前記リンク情報報告手順で報告された前記装置間リンク情報と、前記他のＷＸＣ装置での前記リンク情報報告手順で報告された前記装置間リンク情報とを比較して一致確認を行う一致確認手順を行うことを特徴とする付記１１に記載のＷＸＣ制御方法。
（付記１３）
前記接続情報出力手順で出力された前記接続情報を監視する上位監視手順を行うことを特徴とする付記８から１２のいずれかに記載のＷＸＣ制御方法。
（付記１４）
前記リンク情報報告手順で報告された前記装置間リンク情報を監視する上位リンク監視手順を行うことを特徴とする付記１２を引用する付記１３のＷＸＣ制御方法。
（付記１５）
波長多重信号が伝搬するファイバをＷＸＣ装置のＷＸＣ通信機能部の複数のポートのいずれかに接続する際に、
前記ＷＸＣ通信機能部の前記ポートの各々に設定するために予め保持されている設定値の中から、前記ファイバが接続された前記ポートに適する前記設定値を選択するＷＸＣ通信設定値選択手順と、
前記ポートと前記ファイバと接続したときに前記ＷＸＣ通信機能部から出力されるファイバ接続フラグＯＮを受信し、前記ＷＸＣ通信機能部の前記ポートに前記ファイバが接続されたことの接続情報を出力する接続情報出力手順と、
前記接続情報があったときに、前記ＷＸＣ通信設定値選択手順で選択された前記設定値を前記ファイバと接続した前記ポートに反映させる設定値反映手順と、
を順にＷＸＣ装置に実施させるＷＸＣ制御プログラム。
（付記１６）
前記ＷＸＣ通信設定値選択手順では、
保持する前記設定値の中から前記接続情報出力手順で出力された前記接続情報と一致する前記設定値を選択することを特徴とする付記１５に記載のＷＸＣ制御プログラム。
（付記１７）
前記設定値反映手順では、
前記ＷＸＣ通信設定値選択手順で選択された前記設定値について、いずれの前記ポート用であるかを確認し、
自身が管理しているファイバ接続フラグＯＮとなっている前記ポート用である場合には前記設定値を前記ポートに反映させ、
自身が管理しているファイバ接続フラグＯＦＦとなっている前記ポート用である場合にはエラー報告を送信することを特徴とする付記１５又は１６に記載のＷＸＣ制御プログラム。
（付記１８）
前記ファイバを前記ＷＸＣ通信機能部の前記ポートに接続した後に、
前記ファイバを介して他のＷＸＣ装置における前記ＷＸＣ通信機能部の前記ポートと通信を行い、前記他のＷＸＣ装置における前記ＷＸＣ通信機能部の前記ポートの番号を受信し、前記設定値分岐送受信部に装置間リンク情報として報告するリンク情報報告手順を行うことを特徴とする付記１５から１７のいずれかに記載のＷＸＣ制御プログラム。
（付記１９）
前記リンク情報報告手順で報告された前記装置間リンク情報と、前記他のＷＸＣ装置での前記リンク情報報告手順で報告された前記装置間リンク情報と比較して一致確認を行う一致確認手順を行うことを特徴とする付記１８に記載のＷＸＣ制御プログラム。
（付記２０）
前記接続情報出力手順で出力された前記接続情報を監視する上位監視手順を行うことを特徴とする付記１５から１９のいずれかに記載のＷＸＣ制御プログラム。
（付記２１）
前記リンク情報報告手順で報告された前記装置間リンク情報を監視する上位リンク監視手順を行うことを特徴とする付記１９を引用する付記２０のＷＸＣ制御プログラム。
【符号の説明】
【００６１】
１０、２０：ＷＸＣ装置
６０：上位監視装置
２−１、２−２：接続先管理部
３−１、３−２：ＷＸＣ通信設定値保持部
４−１、４−２：設定値分岐送受信部
５−１、５−２：ＷＸＣ通信機能部
５−１−１〜５−１−６、５−２−１〜５−２−６：ポート
１０１：ＷＸＣ通信システム
【図１】
0005750965.tif 000002
【図２】
0005750965.tif 000003
【図３】
0005750965.tif 000004
【図４】
0005750965.tif 000005
【図５】
0005750965.tif 000006
【図６】
0005750965.tif 000007